【手続補正書】
【提出日】平成24年2月22日(2012.2.22)
【手続補正１】
【補正対象書類名】特許請求の範囲
【補正対象項目名】全文
【補正方法】変更
【補正の内容】
【特許請求の範囲】
【請求項１】
（Ａ）（ｉ）式（Ｒ12ＢＯ1/2）l［（ＢＯ(3-v)/2）（ＯＨ）v］m［（Ｒ1ＢＯ(2-w)/2）（ＯＨ）w］n（Ｒ13ＳｉＯ1/2）p［（Ｒ12ＳｉＯ(2-x)/2）（ＯＨ）x］q［（Ｒ1ＳｉＯ(3-y)/2）（ＯＨ）y］r［（ＳｉＯ(4-z)/2）（ＯＨ）z］s  （Ｉ）を有する少なくとも１つのポリボロシロキサン、（ｉｉ）式Ｒ1aＢ（ＯＳｉＲ13）3-a  （ＩＩ）を有する少なくとも１つのボロシロキサン化合物、及び（ｉｉｉ）（Ａ）（ｉ）及び（Ａ）（ｉｉ）を含む混合物（式中、各Ｒ1は独立してＣ1〜Ｃ10のヒドロカルビル又はＣ1〜Ｃ10のハロゲン置換ヒドロカルビルであり；ｌは０〜０．２であり；ｍは０〜０．５であり；ｎは０〜０．６であり；ｐは０〜０．７であり；ｑは０〜０．９であり；ｒは０〜０．９９９であり；ｓは０〜０．５であり；ｖは０〜０．０５であり；ｗは０〜０．０５であり；ｘは０〜０．４５であり；ｙは０〜０．６３であり；ｚは０〜０．２５であり；ｍ＋ｎは０．００１〜０．５８であり；ｑ＋ｒ＋ｓは０．４２〜０．９９９であり；（ｐ＋２ｑ＋３ｒ＋４ｓ）／（３ｍ＋２ｎ）は１．０１〜１０００であり；ｌ＋ｍ＋ｎ＋ｐ＋ｑ＋ｒ＋ｓは約１であり；ａは０、１又は２であり；ただし、ボロシロキサンは、１分子あたり平均少なくとも２つのアルケニル基を有する）から選択されるボロシロキサンと、
（Ｂ）前記ボロシロキサンを硬化するのに十分な量の、１分子あたり平均少なくとも２つのケイ素結合水素原子を有する有機ケイ素化合物と、
（Ｃ）ヒドロシリル化触媒と
を含むボロシロキサン組成物。
【請求項２】
成分（Ａ）は（Ａ）（ｉ）である請求項１に記載のボロシロキサン組成物。
【請求項３】
成分（Ａ）は（Ａ）（ｉｉ）である請求項１に記載のボロシロキサン組成物。
【請求項４】
ボロシロキサンの硬化生成物を含むボロシロキサン接着剤であって、前記ボロシロキサンは、式（Ｒ12ＢＯ1/2）l［（ＢＯ(3-v)/2）（ＯＨ）v］m［（Ｒ1ＢＯ(2-w)/2）（ＯＨ）w］n（Ｒ13ＳｉＯ1/2）p［（Ｒ12ＳｉＯ(2-x)/2）（ＯＨ）x］q［（Ｒ1ＳｉＯ(3-y)/2）（ＯＨ）y］r［（ＳｉＯ(4-z)/2）（ＯＨ）z］s  （Ｉ）を有する少なくとも１つのポリボロシロキサン、式Ｒ1aＢ（ＯＳｉＲ13）3-a  （ＩＩ）を有する少なくとも１つのボロシロキサン化合物（ただし、前記ボロシロキサン化合物は、１分子あたり平均少なくとも２つのアルケニル基を有する）、式（Ｉ）を有する少なくとも１つのポリボロシロキサンと式（ＩＩ）を有する少なくとも１つのボロシロキサン化合物とを含む混合物（ただし、前記混合物中の前記ポリボロシロキサン及び前記ボロシロキサン化合物は、１分子あたり平均少なくとも２つのアルケニル基をそれぞれ有する）から選択され、式中、各Ｒ1は独立してＣ1〜Ｃ10のヒドロカルビル又はＣ1〜Ｃ10のハロゲン置換ヒドロカルビルであり；ｌは０〜０．２であり；ｍは０〜０．５であり；ｎは０〜０．６であり；ｐは０〜０．７であり；ｑは０〜０．９であり；ｒは０〜０．９９９であり；ｓは０〜０．５であり；ｖは０〜０．０５であり；ｗは０〜０．０５であり；ｘは０〜０．４５であり；ｙは０〜０．６３であり；ｚは０〜０．２５であり；ｍ＋ｎは０．００１〜０．５８であり；ｑ＋ｒ＋ｓは０．４２〜０．９９９であり；（ｐ＋２ｑ＋３ｒ＋４ｓ）／（３ｍ＋２ｎ）は１．０１〜１０００であり；ｌ＋ｍ＋ｎ＋ｐ＋ｑ＋ｒ＋ｓは約１であり；ａは０、１又は２であるボロシロキサン接着剤。
【請求項５】
基板と、
前記基板の表面の少なくとも一部上のボロシロキサン接着剤塗膜であって、前記接着剤塗膜はボロシロキサンの硬化生成物を含み、前記ボロシロキサンは、式（Ｒ12ＢＯ1/2）l［（ＢＯ(3-v)/2）（ＯＨ）v］m［（Ｒ1ＢＯ(2-w)/2）（ＯＨ）w］n（Ｒ13ＳｉＯ1/2）p［（Ｒ12ＳｉＯ(2-x)/2）（ＯＨ）x］q［（Ｒ1ＳｉＯ(3-y)/2）（ＯＨ）y］r［（ＳｉＯ(4-z)/2）（ＯＨ）z］s  （Ｉ）を有する少なくとも１つのポリボロシロキサン、式Ｒ1aＢ（ＯＳｉＲ13）3-a  （ＩＩ）を有する少なくとも１つのボロシロキサン化合物（ただし、前記ボロシロキサン化合物は、１分子あたり平均少なくとも２つのアルケニル基を有する）、式（Ｉ）を有する少なくとも１つのポリボロシロキサンと式（ＩＩ）を有する少なくとも１つのボロシロキサン化合物とを含む混合物（ただし、前記混合物中の前記ポリボロシロキサン及び前記ボロシロキサン化合物は、１分子あたり平均少なくとも２つのアルケニル基をそれぞれ有する）から選択され、式中、各Ｒ1は独立してＣ1〜Ｃ10のヒドロカルビル又はＣ1〜Ｃ10のハロゲン置換ヒドロカルビルであり；ｌは０〜０．２であり；ｍは０〜０．５であり；ｎは０〜０．６であり；ｐは０〜０．７であり；ｑは０〜０．９であり；ｒは０〜０．９９９であり；ｓは０〜０．５であり；ｖは０〜０．０５であり；ｗは０〜０．０５であり；ｘは０〜０．４５であり；ｙは０〜０．６３であり；ｚは０〜０．２５であり；ｍ＋ｎは０．００１〜０．５８であり；ｑ＋ｒ＋ｓは０．４２〜０．９９９であり；（ｐ＋２ｑ＋３ｒ＋４ｓ）／（３ｍ＋２ｎ）は１．０１〜１０００であり；ｌ＋ｍ＋ｎ＋ｐ＋ｑ＋ｒ＋ｓは約１であり；ａは０、１又は２であるボロシロキサン接着剤塗膜と
を含む塗装基板。
【請求項６】
前記基板は、ガラス及び強化シリコーン樹脂フィルムから選択される請求項５に記載の塗装基板。
【請求項７】
第１基板と、
前記第１基板を覆う少なくとも１つの追加基板と、
各基板の少なくとも１つの表面の少なくとも一部上のボロシロキサン接着剤塗膜であって、ただし、前記接着剤塗膜の少なくとも一部は、隣接する基板の反対面の間にあると共に当該反対面と直に接しており、前記接着剤塗膜は、ボロシロキサンの硬化生成物を含み、前記ボロシロキサンは、式（Ｒ12ＢＯ1/2）l［（ＢＯ(3-v)/2）（ＯＨ）v］m［（Ｒ1ＢＯ(2-w)/2）（ＯＨ）w］n（Ｒ13ＳｉＯ1/2）p［（Ｒ12ＳｉＯ(2-x)/2）（ＯＨ）x］q［（Ｒ1ＳｉＯ(3-y)/2）（ＯＨ）y］r［（ＳｉＯ(4-z)/2）（ＯＨ）z］s  （Ｉ）を有する少なくとも１つのポリボロシロキサン、式Ｒ1aＢ（ＯＳｉＲ13）3-a  （ＩＩ）を有する少なくとも１つのボロシロキサン化合物（ただし、前記ボロシロキサン化合物は、１分子あたり平均少なくとも２つのアルケニル基を有する）、式（Ｉ）を有する少なくとも１つのポリボロシロキサンと式（ＩＩ）を有する少なくとも１つのボロシロキサン化合物とを含む混合物（ただし、前記混合物中の前記ポリボロシロキサン及び前記ボロシロキサン化合物は、１分子あたり平均少なくとも２つのアルケニル基をそれぞれ有する）から選択され、式中、各Ｒ1は独立してＣ1〜Ｃ10のヒドロカルビル又はＣ1〜Ｃ10のハロゲン置換ヒドロカルビルであり；ｌは０〜０．２であり；ｍは０〜０．５であり；ｎは０〜０．６であり；ｐは０〜０．７であり；ｑは０〜０．９であり；ｒは０〜０．９９９であり；ｓは０〜０．５であり；ｖは０〜０．０５であり；ｗは０〜０．０５であり；ｘは０〜０．４５であり；ｙは０〜０．６３であり；ｚは０〜０．２５であり；ｍ＋ｎは０．００１〜０．５８であり；ｑ＋ｒ＋ｓは０．４２〜０．９９９であり；（ｐ＋２ｑ＋３ｒ＋４ｓ）／（３ｍ＋２ｎ）は１．０１〜１０００であり；ｌ＋ｍ＋ｎ＋ｐ＋ｑ＋ｒ＋ｓは約１であり；ａは０、１又は２であるボロシロキサン接着剤塗膜と
を含む積層基板。
【請求項８】
前記基板の少なくとも１つは、ガラス及び強化シリコーン樹脂フィルムから選択される請求項７に記載の積層基板。